Podtech/llm-jp-corpus-v4-ja_patent huggingface dataset:
(57)【要約】【課題】  人に頼らず自分で肩、背中、首、腰、下肢の各部位を一本のマッサージ器で有効にマッサージできることにある。【解決手段】  強度あるアルミ製又はステンレス製からなるパイプ１に押圧面が３６０度利用できる調整式ドーナツ型ゴム２，３を取り付けたことにより肩、背中、首、腰、下肢の部位にあわせた押圧又はローリングマッサージができるようにしている。また、パイプ１の中心線４目盛線５により２個のドーナツ型ゴム２，３は押圧幅を調整する際、左右対称に位置し安定した力でマッサージができるようにしている。【選択図】図１
2008253708.tif 000002
【特許請求の範囲】
【請求項１】
パイプにドーナツ型ゴムを取り付けたことからなる調整式ドーナツ型ゴムによるマッサージ器。
【請求項２】
パイプの中心及び中心から左右に等間隔の目盛線をつけたことで左右調整できるドーナツ型ゴムは左右対称に位置し安定した力配分がとれるマッサージ器。
【請求項３】
パイプの素材がアルミ又はステンレス製である請求項１記載のマッサージ器。
【請求項４】
ドーナツ型ゴムは２個であることを特徴とする請求項１記載するマッサージ器。
【発明の詳細な説明】
【技術分野】
【０００１】    本発明は人体の肩、首、背中、腰、下肢を効率よくマッサージできる器具に関するものである。
【背景技術】
【０００２】  従来の人手によらず自らおこなえる棒状のマッサージ器では肩、首を専門にしたものはあるが背中、肩、首、腰、下肢を総合してできるマッサージ器は見られない。
（例えば、特許文献１参照。）
【特許文献１】特開２００３−１５３９８２号公報
【発明の開示】
【発明が解決しようとする課題】
【０００３】  従来のマッサージ器では肩、首の専門部位用は多く見られるが、背中、腰もしくは下肢をマッサージする場合は違う器具を用意しなければならない。本発明は一本のマッサージ器で前記した問題点を解決せんとするものである。
【課題を解決するための手段】
【０００４】  本発明のマッサージ器のパイプは強度があれば良いが一例としてアルミ製又はステンレス製のパイプに押圧部となる２個のドーナツ型ゴムを装着しパイプの中心から対称に押圧部を揃えることで安定したマッサージができるものである。【０００５】  パイプは使いやすさから、たとえば６０ｃｍ〜１００ｃｍの長さでありパイプの直径も１，５ｃｍ〜３，０ｃｍのものである。【０００６】  押圧部であるドーナツ型ゴムは強度があれば良いが一例として強度あるゴム素材を使用し大きさはたとえば直径５，０ｃｍ〜１０，０ｃｍ幅は２，０ｃｍ〜４，０ｃｍであり押圧面の形状は角をとり丸みをもたしたものである。
【発明の効果】
【０００７】  本発明は前記したように押圧部となるドーナツ型ゴムが脊柱を跨ぎ調整できるので骨にパイプがあたることなく安全に左右のツボを自分の力で押圧又は押圧面を３６０度利用したローリングマッサージができる。【０００８】  また押圧部分に強度あるゴム素材を使用することで適度に軟らかく安全性に優れている。
【発明を実施するための最良の形態】
【０００９】  本発明のマッサージ器は図１に示すように強度あるアルミ製又はステンレス製のパイプ１にドーナツ型ゴム２，３を配し自分の手の重み、力で各部位を押圧又はローリングマッサージをする。
【実施例１】
【００１０】  以下、本発明に係るマッサージ器の一実施例を図１〜図５で説明する。ドーナツ型ゴム２，３をパイプの中心近くに左右対称で脊柱を跨ぐように配置しパイプ１の両端もしくは中程を握り腕の重み、力で図３の如く肩、首のツボを押圧もしくはローリングマッサージする。また肩はドーナツ型ゴム２，３を調整することにより外側もマッサージできる。【００１１】  腰部、背部はドーナツ型ゴム２，３を調整後パイプ１に中肘にあて前期と同様に腕の重み、力で図４の如くツボを押圧又はローリングマッサージをする。また下肢においても図５の如くパイプ１を手に持ち、ハムスト、下腿三頭筋のマッサージができる。
【図面の簡単な説明】
【００１２】
【図１】  本発明のマッサージ器を示す正面図である。
【図２】  本発明のマッサージ器のドーナツ型ゴムの断面図である。
【図３】  本発明のマッサージ器で肩をマッサージしている状態を示す説明図である。
【図４】  本発明のマッサージ器で腰、背中をマッサージしている状態を示す説明図である。
【図５】  本発明のマッサージ器で下肢をマッサージしている状態を示す説明図である。
【符号の説明】
【００１３】  １        パイプ
２，３    ドーナツ型押圧ゴム
４        中心線
５        目盛線
【図１】
2008253708.tif 000003
【図２】
2008253708.tif 000004
【図３】
2008253708.tif 000005
【図４】
2008253708.tif 000006
【図５】
2008253708.tif 000007
(57)【要約】【課題】１度に摘める食物の量を減らすため、少量しか摘めない箸を提供する。【解決手段】箸の先端部を湾曲させ、摘む部分の面積を少なくし、一度に少量の食物しか摘めないようにする。２本の箸の軸が回転することを防ぐため連結させる。【選択図】図１
2008253704.tif 000002
【特許請求の範囲】
【請求項１】
先端部を湾曲させ、２本の箸の軸が回転することを防ぐため連結させた、少量しか摘めない箸。
【発明の詳細な説明】
【技術分野】
【０００１】本発明は、食事に用いる、少量しか摘めない箸に関するものである。
【背景技術】
【０００２】従来、箸で食事した場合、食物が摘み易い。
【発明の開示】
【発明が解決しようとする課題】
【０００３】そのため、食べ易く、「早食い・食べ過ぎ」になり易い。
【課題を解決するための手段】
【０００４】箸の先端部を湾曲させ、摘む部分の面積を少なくし、一度に少量の食物しか摘めないようにする。２本の箸の軸が回転することを防ぐため連結させる。
【発明の効果】
【０００５】本発明は、食事の際、一度に少量しか摘めない。
そのため同量の食べ物であれば従来よりも多くの回数摘まねばならず、必然的に食事時間が長くなり「早食い・食べ過ぎ」を防ぐ効果が期待できる。
【発明を実施するための最良の形態】
【０００６】以下、本発明の実施の形態を説明する。
（イ）      箸の先端を湾曲させる。
（ロ）      ２本の端を連結させる。
【産業上の利用可能性】
【０００７】本発明は、現代人の健康増進のため大きな役割を持つと考えられる。
一般家庭や外食産業はもちろん、医療機関での利用も考えられる。
【図面の簡単な説明】
【０００８】
【図１】本発明の平面図である。
【符号の説明】
１  先端
２  連結部
【図１】
2008253704.tif 000003
(57)【要約】【課題】  紙や薄い発泡プラスチックのボードを直角や任意の角度で他の定規を併用しなくても任意の幅に正確且つ迅速にカッターナイフで切断でき、紙等が小片となっても正確に切断できる定規を提供しようとするものである。【解決手段】    ［０００６］  主に薄い金属板もしくはプラスチック板等で形成する方形横板のほぼ中央部上には方形竪板の一端が重なる状態に溶接もしくは鋲もしくはネジ等で取着し、横板には竪板側辺に沿って切欠き溝を設け、各板表面には寸法目盛を設けて紙切断用定規とした。【選択図】図１
2008253709.tif 000002
【特許請求の範囲】
【請求項１】
薄い金属板もしくはプラスチック板等で形成する方形横板のほぼ中央部上には方形竪板の一端が重なる状態に溶接もしくは鋲もしくはネジ等で取着し、横板には竪板側辺に沿って切欠き溝を設けたことを特徴とする紙切断用定規。
【請求項２】
横板と竪板は一枚の板で一体に形成し、竪板は横板の切欠き溝部分で折曲部を設け、板の厚み程度平行状態のまま立ち上げ、横板上に重ねた場合と同等の状態とした事を特徴とする特許請求の範囲請求項１記載の紙切断用定規。
【発明の詳細な説明】
【技術分野】
【０００１】  本発明は紙や発泡プラスチックのボード等を直線状に切断する時に使用する定規に関するものである。
【背景技術】
【０００２】  従来より紙等を切る場合は鋏や直線状定規にカッターナイフを沿えて切断していた。
【従来技術の問題点】
【０００３】  従来の様に行えば紙等の切断はできるが、紙を任意の幅に切ったり直角に切る場合は、鉛筆等で数箇所に目印を付けて平行に切ったり、三角定規を併用して直角を測って切ったりしたが、一箇所切断するのにも正確に切るには時間がかかった。
紙を用いた造形や、紙や厚い発泡プラスチックのボードを使用する建築模型制作等では一辺が数ミリメートルで寸法が少しずつ異なる短冊状の柱や壁を多量に制作するが、小片でも同じ幅や、直角や同じ角度に切れている事が前提で、１ミリメートルの四分の一程度の誤差が仕上がりに影響するので一箇所の切断でも慎重に作業する必要があった。
【０００４】  また、直角定規を用いると厚いボードの一辺を基準にして直角に切ることは出来るが薄い紙には使用できず、必要な幅や長さは別の定規を併用しなければならなかった。  さらに、紙が小片になると紙を保持しにくくなり紙が切断途中で動いて曲がって切れることも多々あった。
【発明の開示】
【発明が解決しようとする課題】
【０００５】  紙や薄い発泡プラスチックのボードを直角や任意の角度で他の定規を併用しなくても任意の幅に正確且つ迅速にカッターナイフで切断でき、紙等が小片となっても正確に切断できる定規を提供しようとするものである。
【課題を解決するための手段】
【０００６】  主に薄い金属板もしくはプラスチック板等で形成する方形横板（１）のほぼ中央部上には方形竪板（２）の一端が重なる状態に溶接もしくは鋲もしくはネジ（３）等で取着し、横板には竪板側辺（４）に沿って切欠き溝（５）を設け、各板表面には寸法目盛（６）を設けて紙切断用定規とした。
なお、切欠き溝は竪板の片側辺だけでなく両側辺に設けてもよい。
【発明の効果】
【０００７】  例えば紙を切断加工する場合の一例を示すと、一般的に紙（７）の一辺を基準辺として直角に切断加工するが、この時、定規は横板と竪板が直角になったものを用い、切断加工しようとする紙面上に定規を置き、紙の下辺（８）と接する定規横板側辺（９）は紙の厚みを利用して側辺全体で紙を係止保持し、定規竪板は紙の上方に延びた状態で使用可能とし、紙の切断寸法を横板上の寸法目盛位置に合わせ、定規竪板を手指で押さえながらカッターナイフで定規の竪板側辺に沿って紙を切断する。  この時、カッターナイフは紙の端まで切断し終えたら、直ちに切欠き溝内で動きを止め持ち上げるとカッターナイフの刃は横板と突当らず刃こぼれせずに作業をできる。【０００８】  この様に、紙の一辺を基準辺として定規本体横板の長手側辺を接して使用するが、通常紙の厚みは０、２ミリメートル程度有るので線状に紙を支えており撓んだりせず竪板側辺に沿って切断すれば紙は平行に同じ角度で何度も切れ、紙等が小片となっても切断箇所の切欠き溝を除く両側で保持しているので切断途中で紙が曲がって切断されることはない。
定規の横板や竪板の寸法目盛は各側辺との交点を始点にして目盛を付すと、切断したい寸法の目盛に紙の端部を合わせるだけで正確な寸法で紙は即座に切断できる。
また、横板に竪板をネジで取着するとネジを緩めて竪板の取着角度を調整すれば直角以外にも角度を変えて紙を切断でき、真横にして横板と平行にすれば棒状になり収納し易くなる。【０００９】  紙は色付きのものや柄付きのもの等は、鉛筆で寸法目印を付けても見難い場合や目印の太さで切断寸法が多少異なる事が有るが、本発明定規を用いれば定規横板の寸法目盛に紙下端部を合わせて上部の竪板にカッターナイフを沿えて切れば、いつも正確な幅に切る事ができ、竪板の寸法目盛を見て紙を切る長さに合せカッターナイフで切れば一度に縦と横の寸法が決定する為に矩形やＬ型に切断する時も効率よくできる。
上記の様に、紙等の一辺の切断部分を含めて定規横板で保持しながら横板の切欠き溝が有るので定規とカッターナイフが当らずに紙の端部まで正確に切断でき、カッターナイフの刃を傷めることは無い。
なお、切欠き溝は竪板の片側辺だけでなく両側辺に設けると定規を押さえる手が左右どちらでもよく、利き手でカッターナイフを持って切り易い側辺で切断作業できる。
【発明を実施する為の最良の形態】
【０００１０】  以下、本発明の実施の形態について説明する。
主に薄い金属板やプラスチック板等で形成する方形横板のほぼ中央部上には方形竪板の一端を重ね、点溶接やネジや鋲等で取着し、横板には竪板側辺に沿って切欠き溝を設け、各板表面には寸法目盛を設けて紙切断用定規とした。
横板と竪板はネジで取着した場合、ネジを緩めると竪板はネジを軸に回動できるので、直角や任意の角度に合わせてネジを締めて固定すれば、直角や必要な角度の紙を切断することが出来るが、直角を基準にして角度が大き過ぎると切欠き溝を大きくしなければならず寸法目盛の位置もずれるが、不使用時には横板と平行にして収納し易くできる。
また、定規は使用頻度の高い直角用の場合は他実施例として、横板と竪板は一枚の板で一体に形成し、竪板は横板の切欠き溝部分で折曲部（１０）を設け、板の厚み程度平行状態のまま立ち上げ横板と重ねた場合と同等の状態に形成すれば、材料加工初期の段階で例えばレーザー切断加工機等を用いて横板と竪板を直角に形成できるので誤差のない正確な製品が得られる。
【図面の簡単な説明】
【００１１】
【図１】  本発明の一実施例を示す斜視図。
【図２】  本発明の実施例を示す一部切断斜視図。
【図３】  本発明の他実施例を示す斜視図。
【符号の説明】
【００１２】  １      横板
２      竪板
３      ネジ
４      竪板側辺
５      切欠き溝
６      寸法目盛
７      紙
８      紙下辺
９      横板側辺
１０      折曲部
【図１】
2008253709.tif 000003
【図２】
2008253709.tif 000004
【図３】
2008253709.tif 000005
(57)【要約】【課題】  従来の表記法で立体構造物を描こうとするとき、平面図の三角法・三面図を用いると立体感や全体の形がつかみづらく、集合体になったとき構成している単体の数は把握できなかった。投影法を用いると、一方向から一枚の図面で全体の形状を表せ、便利であるが、立体構造物が集まり積み重ねられた集合体と成ったとき、単体が積み重ねられることで、見えなくなる単体がある、また投影法は一種の遠近法であるため、単体が積み重ねられることで遠近感が増幅され、錯覚が生じやすく、集合体を構成する単体の個数・構成内わけ・形状を瞬時に把握するのが容易でない【解決手段】  各方向からの平面図を生理的・習慣的に受け入れやすい位置に配し、立体の全体数・各段ごとの構成数を同時に表記することで構成内容が明確にできる。【選択図】図２
2008253710.tif 000002
【特許請求の範囲】
【請求項１】
立体構造物の単体若しくは段に積まれた集合体の表記部と前記表記された立体構造物の各方位からの図面表記及び各段における立体構造体の数の表記からなる内容表示を同時に表記する内容表記部からなる事を特徴とする、立体把握トレーニング器材。
【請求項２】
前記表記部と前記内容表記部は、カード又はシートの表裏に表記されていることを特徴とする請求項１記載の立体把握トレーニング器材。
【発明の詳細な説明】
【技術分野】
【０００１】  本発明は、立体構造物の単体・集合体の表記法に関する。
【背景技術】
【０００２】  従来の積み木・ブロックに代表される、立体構造物の単体・集合体の表記方法は、投影図法を用いた表記方法、平面図では三角法・三面図であらわされている。
【発明の開示】
【発明が解決しようとする課題】
【０００３】  立体構造物を描こうとするとき、平面図の三角法・三面図を用いると立体感をつかみづらく三方向からの三つの図が必要になる。立体感を表現しやすい投影法を用いると、一方向から一枚の図面で全体の形状を表せ、伝えやすいが、立体構造物が集まり積み重ねられた集合体と成ったとき、単体が積み重ねられることで、見えなくなる単体がある、また投影法は一種の遠近法であるため、単体が積み重ねられると、遠近感が増幅され、錯覚が生じやすく、集合体を構成する単体の個数・構成内わけ・形状を瞬時に把握するのが容易でない【０００４】  本発明は、従来の表記方法が有していた問題を解決しようとするものであり、集合体を構成する内容を容易に把握できる、立体把握トレーニング器材を実現することを目的とするものである。
【問題を解決するための手段】
【０００５】  本発明は上記目的を達するために、投影法を用いた正面図に加え、その他の方向図面・構成する単体の数と位置を、規則性が有り、感覚的且つ生理的に理解しやすい配置、で表記するものである。
【０００４】  上記問題解決手段による作用は次の通りである。単体が積み重なり描ききれなかった単体の構成内容の情報・数・位置が伝わりやすいことで、当表記方法から、正面からの投影図をイメージすることも容易になる。
【発明の効果】
【０００５】  上述したように、本発明の表記方法は、錯覚を起こしやすい図の構成内容である、位置関係や数を瞬時で、把握でき理解することができるので、同パターンで異なる数量の図を増やすことで、幼児教育や認知症治療等、脳トレーニングに利用されることが多い、図形・数の比較、等の問題作成が容易になり結果的に、設問のバリエーションを増やしやすくなり、学習機会を増やすことができる。
【発明の実施するための最良の形態】
【０００６】  以下、本発明の実施の形態を図１〜２図に基づいて説明する。
【０００７】  図１において、▲１▼は表示部で、立体構造物の集合体を投影図で、正面方向から描いたものであるが、個数、集合数、集合形状の違いにより、それぞれ異なる。
【０００８】  ▲２▼は図１の集合体を上方向から見た平面図を、上部に配置した。
【０００９】  ▲３▼は図１の集合体を左方向から見た平面図を、左部に配置した。
【００１０】  ▲４▼は図１の集合体を右方向から見た平面図を、右部に配置した。
【００１１】  ▲５▼は図１の集合体を後ろ方向から見た平面図を、下部に配置した。
【００１２】  ▲６▼は図１の集合体を構成する、単体の数を表し、この場合集合体は３段で構成されているので、３段にわけて配置し、記してあるのは、それぞれの段の単体数である。
【００１３】  ▲７▼は図１の集合体を構成している単体の合計数であるが、▲６▼と▲７▼は異なる表記方法で、容易に区別できる必要がある。
【００１４】  図１及び図２において、各段ごとを異なった色で色分け表記すれば、▲２▼平面図の表記はどこに何段積まれているか、平面図で高低段数差を明確にあらわすことができるようになり、▲３▼▲４▼▲５▼▲６▼においても色分けすることで、わかりやすさが増す。
【図面の簡単な説明】
【００１４】
【図１】  立体構造物集合体正面方向投影図の一図面
【図２】  本発明実施形態をあらわした全体図の一図面
【符号の説明】
【００１５】▲１▼  立体構造物集合体正面方向投影図
▲２▼  図１集合体を上方向から見た平面図
▲３▼  図１集合体を左方向から見た平面図
▲４▼  図１集合体を右方向から見た平面図
▲５▼  図１集合体を後ろ方向から見た平面図
▲６▼  図１集合体を構成する単体の位置と数の表記
▲７▼  図１集合体を構成する単体の全数
【図１】
2008253710.tif 000003
【図２】
2008253710.tif 000004
(57)【要約】【課題】既存の、毛を植え付けた頭の部分と、柄の部分が一体となった歯ブラシを、毛を植え付けた頭の部分と、柄の部分とに分けて、別個に製造し、これを組立てることにより、元の、毛を植え付けた頭の部分と、柄の部分が一体となった歯ブラシと、同一の形状と機能を有しながら、組立方法も簡易で、頭の毛を植え付けた部分のみを、交換、廃棄出来ることを、特徴とする組立式歯ブラシを提供する。【解決手段】毛を植え付けた頭の部分（１）に雄ネジ（３）を設け、柄の部分（２）に雌ネジ穴（４）を設ける。使用する時は、毛を植え付けた頭の部分（１）の雄ネジ（３）を、柄の部分（２）の雌ネジ穴（４）に右回転させて装着させる。毛を植え付けた頭の部分（１）を交換、廃棄する時は、毛を植え付けた頭の部分（１）を左回転させ、柄（２）より取り外す。【選択図】図１
2008253702.tif 000002
【特許請求の範囲】
【請求項１】
既存の、毛を植え付けた頭の部分と柄の部分が、一体となった歯ブラシを、毛を植え付けた頭の部分と、柄の部分に分けて、別個に製造し、これを組立てることにより、既存の、毛を植え付けた頭の部分と柄の部分が、一体となった歯ブラシと、同一の形状と機能を有することを特徴とする、組立式歯ブラシ。
【請求項２】
既存しない、歯ブラシについては、〔請求項１〕の歯ブラシと類似した物であってもよい。
【請求項３】
頭の部分（１）と柄の部分（２）を組立てたとき、両者が接する面に、ゴムまたは、同種類のパッキンをはめ込んでもよい。
【発明の詳細な説明】
【技術分野】
【０００１】  この発明は、既存の、毛を植え付けた頭の部分と柄の部分が、一体となった歯ブラシを、毛を植え付けた頭の部分と柄の部分に分けて、別個に製造し、これを組立てることにより、既存の、毛を植え付けた頭の部分と柄の部分が、一体となった歯ブラシと、同一の形状と機能を有することを特徴とする、組立式歯ブラシに関するものである。
【背景技術】
【０００２】  従来、電動歯ブラシは少量使用されているだけで、全消費者の９０数パーセントは毛を植え付けた頭の部分と、柄の部分が一体となった歯ブラシを使用している。この歯ブラシは長い年月に亘り、消費者の要望や好みを取り入れながら、種々研究改良されてきたものであり、現時点においては、使用上、何らの問題点もない。ただ、歯ブラシは、毛のみが、損耗するのであり、柄は損耗しないが、柄も含めて廃棄されている。この無駄を省こうとして、組立式歯ブラシが、考案、発明されているが、未だ、実用に供されるような、組立式歯ブラシは出現していない。
※参考  実開平６−６４５２３  特開２００１−１２０３５２  特開２００２−３５３
【発明の開示】
【発明が解決しようとする課題】
【０００３】既知の考案、発明の組立式歯ブラシの問題点
既知の考案、発明の組立式歯ブラシは、歯ブラシの本流である、既存の頭の部分と柄の部分が一体となった歯ブラシの、形状と機能の良さ（長所）の全てを、継承し得ていない。また、組立方法も、安易とは言い難い。これらのことから、多数の消費者に幅広く使用される歯ブラシとしての資質に、欠けていると想定される。
＊  参考
（イ）実開平６−６４５２３の問題点
歯ブラシの形状に対する、消費者の好みは多種多様であるが、当考案の組立てて出来上がる歯ブラシの形状は、基本的には１種類であり、また、キャップ（柄）は歯ブラシの頭を収納させる機能も、兼ね備えているため、太くなっており、手のひらに、上手くフィットしないと想定される。また、組立部分も３部分に分かれており、子どもや高齢者にとっては、必ずしも簡易な組立方法とはいえない。
（ロ）特開２００１−１２０３５２の問題点
当発明の、歯ブラシの頭の部分は、既存の、歯ブラシの頭の部分より、ひと回りか、それ以上に大きくなると推定される。このことは奥歯を磨きにくくし、奥歯の歯茎やその周辺に、違和感を与えると想定される。組立方法も、子どもや高齢者にとっては安易とは言い難い。
（ハ）特開２００２−３５３の問題点
当発明の歯ブラシの組立方法は熱湯（８０℃）を利用するため、危険性をはらんでおり、また熱湯を準備するという手間も必要となり、特に子どもや高齢者にとっては、好ましくない組立方法である。また、当発明の、歯ブラシの頭の部分は、既存の歯ブラシの頭の部分より、ひと回りは大きくなると推定される。このことは（ロ）の場合と同様に、奥歯を磨きにくくし、奥歯の歯茎やその周辺に違和感を与えると推定される。
【課題を解決するための手段】
【０００４】  既存の、毛を植え付けた頭の部分（１）と、柄の部分（２）が一体となった歯ブラシを、毛を植え付けた頭の部分（１）と柄の部分（２）に分けて、別個に製造し、柄の部分（２）に、毛を植え付けた頭の部分（１）を取付けて使用する。毛が損耗し、使用不能になったときは、毛を植え付けた頭の部分（１）を、柄の部分（２）から取り外し、新しい、毛を植え付けた頭の部分（１）を、元の柄の部分（２）に取付けて使用する。
本発明は、以上のような構成よりなる、組立式歯ブラシである。
【発明の効果】
【０００５】  発明は以上のような構造で、既存の、頭の部分と柄の部分が、一体となった歯ブラシと、同一の形状と機能を有しているので、消費者は何の抵抗感もなく、受け入れることが出来る。このような歯ブラシでありながら、毛を植え付けた頭の部分（１）のみを、交換、廃棄することが出来、組立方法も簡易なため、幅広い消費者に浸透して行くことが、容易となる。
【発明を実施するための最良の形態】
【０００６】  以下、本発明の実施の形態について説明する。
（イ）毛を植え付けた頭の部分（１）の端に雄ネジ（３）を設ける。
（ロ）柄の部分（２）に雌ネジ穴（４）を設ける。
本発明を使用するときは、毛を植え付けた頭の部分（１）の雄ネジ（３）を、柄の部分（２）の雌ネジ穴（４）に、右回転させて装着する。毛が損耗し、使用不能になったときは、毛を植え付けた頭の部分（１）を左回転させ、柄の部分（２）より取りはずし、新しい、毛を植え付けた頭の部分（１）と取り替える。
【図面の簡単な説明】
【０００７】
【図１】本発明の組立前の側面図である。
【図２】図１の部分拡大図である。
【符号の説明】
【０００８】１  本発明の毛を植え付けた頭の部分
２  本発明の柄の部分
３  本発明の毛を植え付けた頭の部分（１）に設けた雄ネジ
４  本発明の柄の部分（２）に設けた雌ネジ
５  毛
【図１】
2008253702.tif 000003
【図２】
2008253702.tif 000004
(57)【要約】【課題】  トイレトレーニングをしている幼児が、簡単におしりを拭けるように、マークを設けたおしり拭き紙を提供する。【解決手段】  おしりを拭く紙（１）にマーク（２）を設けたマーク付きおしり拭き紙を特徴とする。【選択図】図１
2008253705.tif 000002
【特許請求の範囲】
【請求項１】
おしりを拭く紙（１）にマーク（２）を設けたマーク付きおしり拭き紙。
【発明の詳細な説明】
【技術分野】
【０００１】  この発明は、おしりを拭く紙の中心にマークを設けたマーク付きおしり拭き紙に関するものである。
【背景技術】
【０００２】  従来、幼児のトイレトレーニングを目的としたマーク付きおしり拭き紙はなかった。
【発明の開示】
【発明が解決しようとする課題】
【０００３】  今までにない商品となる。
トイレトレーニング中の幼児はなかなか自分でおしりを拭けない。又は、拭こうとしない。そこで、幼児が興味を持つマークを設け、おしりにあてる目標とすることにより簡単におしりを拭けるようになる。
本発明は、以上のような商品を提供するためになされたものである。
【課題を解決するための手段】
【０００４】  おしりを拭く紙（１）にマーク（２）を設ける。
本発明は以上の構成よりなるマーク付きおしり拭き紙である。
【発明の効果】
【０００５】  マークを設けることにより、目標ができおしりを拭けるようになる。
【発明を実施するための最良の形態】
【０００６】  以下、本発明を実施するための最良の形態について説明する。
おしりを拭く紙（１）にマーク（２）を設ける。
本発明は、以上のような構造である。
これを使用するときは、マークを目がけておしりを拭けばよい。
【図面の簡単な説明】
【０００７】
【図１】  本発明の平面図である。
【符号の説明】
【０００８】  １  おしりを拭く紙
２  マーク
【図１】
2008253705.tif 000003
(57)【要約】      （修正有）【課題】従来のロールペーパーとペーパーホルダーでは力の弱い老人・体の不自由な人・怪我人・病人・子供等には使いにくく、片手では思う様に使えませんでした。使い易い大きさのトイレットペーパーを複数枚バラバラにならない様にまとめたテイッシュペーパー式のホルダーを提供する。【解決手段】トイレットペーパーを半分づつ折畳み重ねてまとめテイッシュペーパー方式にしたペーパー２を本体１の上から収納する。使用時は本体２下の開口部３より引き出し汚れ落としや水分取りに使用、引き出した後も次のペーパーが出ているので取出し易く、指２本で使えるトイレットペーパーホルダーとした。【選択図】図１
2008253701.tif 000002
【特許請求の範囲】
【請求項１】
特許出願番号２００６−２４４８１２と特許出願番号２００６−３５７４０７のトイレットペーパー  以後考案ペーパーとします  を使い易くする為のトイレットペーパーホルダーで、１つの考案ペーパーの半分に次に取り出す考案ペーパーの半分を折り重ねた物を複数まとめたテイッシュペーパー方式にした物（２）を本体（１）の上から収納し、下の開口部（３）より取出し使用し、その後テイッシュペーパー式になり次の考案ペーパー（２）が少し垂れ下るので次が取出し易くなる構造のトイレットペーパーホルダー。
【発明の詳細な説明】
【技術分野】
【０００１】トイレットペーパーホルダー
【背景技術】
【０００２】従来のロールペーパーとペーパーホルダーでは、力の弱い老人・体の不自由な人・怪我人・病人・子供等には使いにくく、片手では思うように使えませんでした。
【発明の開示】
【発明が解決しようとする課題】
【０００３】使い易い大きさのトイレットペーパーを複数枚重ねバラバラにならない様にまとめた物をテイッシュペーパーの様に簡単で使い易くできないか。
【発明が解決するための手段】
【０００４】従来のロールペーパーとペーパーホルダーでは解決できませんのでテイッシュペーパー方式の物で１つづつ取出しそのまま使えるペーパーホルダーを考案しました。
【０００５】使い易い大きさのトイレットペーパーを複数枚重ねバラバラにならない様まとめた考案ペーパーをテイッシュペーパー式にした物を本体上部より収納し、下の開口部より考案ペーーを引き出しそのまま汚れ落としや水分取りに使い、引き出した後も次の考案ペーパーが  垂れ下っており次も使い易い構造のトイレットペーパーホルダー。
【０００６】ホルダー内の残量がわかる様、本体を透明・半透明にするとか縦に溝等設けるとさらに使い易くなる。
【０００７】衛生面を考えると上部に蓋を設けると良いだろう。
【０００８】考案ペーパーが無くなった時は本体上部より補充でき簡単で楽に出来る。
【発明の効果】
【０００９】本考案のホルダーから考案ペーパーを１つ取出し汚れ落としや水分取りにそのまま使え又考案ペーパーの補充も簡単で楽である。
【０００１０】テイッシュペーパーと同じ使い方のホルダーなので、力の弱い老人・体の不自由な人・怪我人・病人・子供等にとても使い易いトイレットペーパーホルダーです。
【図面の簡単な説明】
【図１】下方より見た斜面図  １ー本体  ２ー考案ペーパー  ３ー取出し開口部
【図２】側面断面図
【図１】
2008253701.tif 000003
【図２】
2008253701.tif 000004
(57)【要約】【課題】  自宅にあっても、例えば、上肢に屈伸動作を行わせ、血液を流動させることで血栓を防止する関節可動式の上肢リハビリトレーニング機器を提供することを目的とする。【解決手段】  使用者の上腕に装着される上腕アーム部と、前腕に装着される前腕アーム部と、前記上腕アーム部と前腕アーム部は、肘関節部位で屈伸動作可能に連結され、前記上腕アーム部に前後方向に回動を与える上肢駆動機構と、前記前腕アーム部に屈伸動作与える前腕駆動機構を備えた上肢リハビリトレーニング機器。【選択図】      図１
2008253329.tif 000002
【特許請求の範囲】
【請求項１】
使用者の上腕に装着される上腕アーム部と、
前腕に装着される前腕アーム部と、
前記上腕アーム部と前腕アーム部は、肘関節部位で屈伸動作可能に連結され、
前記上腕アーム部に前後方向に回動を与える上肢駆動機構と、
前記前腕アーム部に屈伸動作与える前腕駆動機構を、備えた
ことを特徴とする上肢リハビリトレーニング機器。
【発明の詳細な説明】
【技術分野】
【０００１】
本発明は、上肢の機能回復を行うセルフ（アシスト）型のリハビリトレーニング機器に関するものである。
【背景技術】
【０００２】
従来より例えば、運動機能の回復を目的とした種々のリハビリトレーニング機器が提供されている。併しその多くは、筋力トレーニングを目的とした所謂トレーニングマシン等であって、大型で、且つ高価であるため、自宅で、また個人で購入できるものではなかった。そのような中、在宅にてネットワーク経由で遠隔地から伝送される操作動作に関する位置信号と力信号に基づいて受訓者の上肢を強制的に動かす装置が提供されている。また、手首を含む上肢のリハビリテーションを目的とした実感覚に近い力学的感覚を伝える装置も提供されている。
【０００３】
【特許文献１】特開２００４−８７４４
【特許文献２】特開２００６−２４７２８０
【発明の開示】
【発明が解決しようとする課題】
【０００４】
併しながら前記装置は、手首を含むある程度、上肢が動く使用者の運動機能を回復させるための訓練装置であって、次のような患者を対象としたものではなかった。即ち、脳卒中等を患うと、一般的に上肢、下肢の運動が不自由となり、関節を動かさないことにより
、拘縮や深部静脈血栓等を生じる。その結果、それが運動時の痛みや、立つ、歩くなどの日常生活動作障害の大きな原因になることはよく知られている。
【０００５】
本発明は、自宅にあっても、例えば、上肢に屈伸動作を行わせ、血液を流動させることで血栓を防止する関節可動式の上肢リハビリトレーニング機器を提供することを目的とする。
【課題を解決するための手段】
【０００６】
上記問題を解決するために本発明の請求項１に記載の上肢リハビリトレーニング機器は、使用者の上腕に装着される上腕アーム部と、前腕に装着される前腕アーム部と、前記上腕アーム部と前腕アーム部は、肘関節部位で屈伸動作可能に連結され、前記上腕アーム部に前後方向に回動を与える上肢駆動機構と、前記前腕アーム部に屈伸動作与える前腕駆動機構を備えたことを特徴とする。
【発明の効果】
【０００７】
装置（機構部）の大型化を生じること無く、安価な上肢リハビリトレーニング機器を提供することができる。このことは、個人が自宅にあっても、気軽に運動機能の回復訓練が行えるものである。また、この上肢の機能回復訓練、即ち、各関節の伸展及び屈曲運動によって、拘縮や深部静脈血栓等を防止することができる。
【発明を実施するための最良の形態】
【０００８】
以下、本発明の実施の形態について詳細に説明する。
図１は、本実施の形態にかかる上肢リハビリトレーニング機器の斜視図であって、上腕アーム部及び前腕アーム部が垂直状態である。図２は上腕アーム部及び前腕アーム部が水平状態である。図３は前腕アーム部が上腕アーム部とが屈曲状態である。図４は背面斜視図である。
【０００９】
図に示すように、本発明の上肢リハビリトレーニング機器１は、使用者の上腕に装着される（上肢を載置する）上腕アーム部２と、前腕に装着される（前腕を載置する）前腕アーム部３と、後述する上肢駆動機構６及び前腕駆動機構７をそれぞれ動作させるフットスイッチ４と、上下方向にスライドし肩を軽く押さえ固定する肩固定パット５と、上肢を前後方向に回動を与える上肢駆動機構６と、肘関節部位で屈伸動作を行う前腕駆動機構７と、椅子８により構成されている。
【００１０】
前記上腕アーム部２と前腕アーム部３とは、肘関節部位で屈伸動作可能に連結されており、前記上腕アーム部２及び前腕アーム部３は共に、伸縮性のある布又は皮革等で使用者の上腕及び前腕を巻き付けるようにして簡単に固定するバンド２ａ、３ａが設けられている。
【００１１】
前記上腕アーム部２には、肩部位で軸（図示せず）により上肢（上腕アーム部２）に前後方向に回動を与える駆動モータ６ａと、該駆動モータ６ａの出力を減速伝達する減速機６ｂを有し構成した上肢駆動機構６が設けられている。
【００１２】
同様に、前記前腕アーム部３には、肘関節部位で軸（図示せず）により前腕を肘関節部位で屈伸動作を与える駆動モータ７ａと、該駆動モータ７ａの出力を減速伝達する減速機７ｂを有し構成した前腕駆動機構７が設けられている。
【００１３】
前記フットスイッチ４は、前記駆動モータ６ａ、７ａを足操作によりオン／オフするもであるが、センサ（例えばロータリエンコーダ）により、回動角度、屈曲角度に応じて駆動モータ６ａ、７ａをそれぞれ制御（オン／オフ）しても良い。
【００１４】
以上本発明は、上肢駆動機構６及び前腕駆動機構７のアシストを借りて、上肢の機能回復を行うセルフ型の上肢リハビリトレーニング機器である。尚、本発明を上肢に於いて説明したが、下肢にも同様に実施することが可能である。その場合には、スイッチは手元に設けられる。
【産業上の利用可能性】
【００１５】
下肢の身体機能回復にも使用できる。
【図面の簡単な説明】
【００１６】
【図１】本発明を示す図で、上腕アーム部及び前腕アーム部が垂直状態である。
【図２】本発明を示す図で、上腕アーム部及び前腕アーム部が水平状態である。
【図３】本発明を示す図で、前腕アーム部が上腕アーム部とが屈曲状態である。
【図４】本発明の上肢リハビリトレーニング機器の背面斜視図である。
【符号の説明】
【００１７】
１  ：上肢リハビリトレーニング機器２  ：上腕アーム部２ａ：バンド３  ：前腕アーム部３ａ：バンド４  ：フットスイッチ５  ：肩固定パット６  ：上肢駆動機構６ａ：モータ６ｂ：減速機７  ：前腕駆動機構７ａ：モータ７ｂ：減速機
【図１】
2008253329.tif 000003
【図２】
2008253329.tif 000004
【図３】
2008253329.tif 000005
【図４】
2008253329.tif 000006
(57)【要約】【課題】カフ の一端を取付部に固定し、円筒状に略一周巻いた後、この円筒の略接線方向にカフ の他端側をさらに伸ばして引っ張り被験者の被測定部を締付けるような構造になっているので円筒状の引っ張る構造を持つので大型化する。【解決手段】本発明は、回転筒と、該回転筒の内周にあり、切欠穴を設けた固定筒と、前記回転筒に内側に一端を取り付け、前記固定筒の前記切欠穴を通過させて前記固定筒の内側に他端を取り付けたカフ帯とを備え、前記回転筒を回転させることにより、前記カフ帯の径を変化させるカフ装置を提供する。【選択図】図１
2008253345.tif 000002
【特許請求の範囲】
【請求項１】
回転筒と、該回転筒の内周にあり、切欠穴を設けた固定筒と、前記回転筒に内側に一端を取り付け、前記固定筒の前記切欠穴を通過させて前記固定筒の内側に他端を取り付けたカフ帯とを備え、前記回転筒を回転させることにより、前記カフ帯によって形成される径を変化させるカフ装置。
【発明の詳細な説明】
【技術分野】
【０００１】
本発明は、腕、下肢等を挿入する血圧計のカフ装置に関するものである。
【背景技術】
【０００２】
血圧測定装置では、円筒状に配置されたカフ の中に上腕を挿入して上腕にカフ を巻き付け、さらにカフに空気が圧送されて上腕を圧迫した後、カフから空気を徐々に抜く過程で最高血圧と最低血圧 を測定 するようになっている。
【０００３】
このような血圧測定装置では、例えば特許文献１にあるようにカフ の一端を取付部に固定し、円筒状に略一周巻いた後、この円筒の略接線方向にカフの他端側をさらに伸ばして引っ張り被験者の被測定部を締付けるような構造になっている。
【０００４】
【特許文献１】特公平６−２８６３６号公報
【発明の開示】
【発明が解決しようとする課題】
【０００５】
このような血圧測定装置のカフでは他端側を伸ばすのでスペースが必要となり、小型化するのに問題となる。
【０００６】
本発明は、上記問題点を解決しようとするものであり、カフを小型化し、無駄なスペースをとらないカフ装置を提供することを目的とする。
【課題を解決するための手段】
【０００７】
本発明は、回転筒と、該回転筒の内周にあり、切欠穴を設けた固定筒と、前記回転筒に内側に一端を取り付け、前記固定筒の前記切欠穴を通過させて前記固定筒の内側に他端を取り付けたカフ帯とを備え、前記回転筒を回転させることにより、前記カフ帯によって形成される径を変化させるカフ装置を提供するものである。
【発明の効果】
【０００８】
上述したように本発明のカフ装置は円筒状に形成し、カフを外にはみださせずに円筒を回転させることでカフ帯の径を変化させる構造であるので血圧計を小型の小型化に寄与する効果を有する。
【発明を実施するための最良の形態】
【０００９】
本発明を図１〜図３をもとに詳細に説明する。
【００１０】
図１は本発明のカフ装置の断面図を示す。
１は固定筒、２は外枠、３は回転筒を示し、固定筒１を外枠２と結合させ、固定筒１の外径部と回転筒３の内径部が嵌合する。回転筒３のその外径部には３Ｇで示すギア部が設けられ、ギア部３Ｇは外枠に固定軸を有する４で示すピニオンギアと噛合させる。図１はギア部３Ｇのピッチ円はピニオンギア４のピッチ円が噛合った図面を示している。ピニオンギア４を不図示のモータで回転させると、噛合していたギア部３Ｇが回転し、回転筒３が回転する。回転筒３の内径側に５で示すカフの一部が取付部材６で固定され、固定筒１の内径側にカフ５の他部が取付部材７で固定されている。８はカフ５に挿入する被験者の腕を示す。カフ５の内側には不図示の空気袋が設けられており、血圧測定時には前記空気袋に空気をいれ、軽く空気袋で被験者の腕８を締める。
前述のようにピニオンギア４を不図示のモータにより時計の針と反対方向、即ち反時計方向に回転させると回転筒は矢印で示すように時計の針の回転方向に回転すると固定筒１に固定されたカフ５に対して回転筒３が回転し、カフ５と前述の空気袋で被験者の腕８を締付ける。回転筒３の内側に設けられたカフ５が通過する部分に相当する固定筒１には切欠部が設けられている。
【００１１】
本発明のカフ装置に別設された血圧計で被験者の腕８を一旦圧迫し前記空気袋の空気を少し抜くことによりコロトコフ音を検知して最高血圧を得、さらに空気を抜いてコロトコフ音の消滅を検知して最低血圧を得る。
【００１２】
図２は本発明のカフ装置の正面図の要部を示す。
カフ５の内側にある不図示の空気袋を膨らませ、その空気袋の中に被験者の腕を挿入する。カフ５はその一端は固定筒１に取付部材６を介して固定され、他端は回転筒３に取付部材７を介して取り付けられる。軸４Ａに取り付けられたピニオンギア４を反時計方向に回転させると回転筒３が時計方向に回転しカフ５に固定された取付部材６が回転し、カフ５の内径は縮小する。
【００１３】
図３は本発明のカフ装置の斜視図を示す。
固定筒１から伸びた固定台１Ａに、ピニオンギア４の軸４Ａを支持する不図示の軸支持部があり、ピニオンギア４が回転するとギア部３Ｇが設けられた回転筒３が回転する。回転筒３の回転に伴い、回転筒３の内側に一端が固定され、他端が固定筒１に固定されたカフ５の径は変化し、カフ５の中に挿入された被験者の腕が前記空気袋で締め付けられる。
本発明は、回転筒と、該回転筒の内周にあり、切欠穴を設けた固定筒と、前記回転筒に内側に一端を取り付け、前記固定筒の前記切欠穴を通過させて前記固定筒の内側に他端を取り付けたカフ帯とを備え、前記回転筒を回転させることにより、前記カフ帯の径を変化させるカフ装置を提供するものであり、本発明のカフ装置は円筒状に形成し、カフを外にはみださせずに円筒を回転させることでカフ帯の径を変化させる構造であるので血圧計の小型化に寄与する効果を有する。
【図面の簡単な説明】
【００１４】
【図１】本発明によるカフ装置の断面図を示す。
【図２】本発明によるカフ装置の正面図の要部を示す。
【図３】本発明によるカフ装置の斜視図を示す。
【符号の説明】
【００１５】
１・・・固定筒
２・・・外枠
３・・・回転筒
３Ｇ・・ギア部
４・・・ピニオンギア
５・・・カフ
６・・・取付部材
７・・・取付部材
８・・・被験者の腕
【図１】
2008253345.tif 000003
【図２】
2008253345.tif 000004
【図３】
2008253345.tif 000005
(57)【要約】      （修正有）【課題】  搾乳関連排水の浄化または自然環境の再生・修復・創出のために、低コスト、短期間でヨシを定植させて人工湿地または群落を造成する方法の提供。【解決手段】地域に自生している郷土種のヨシを地際から刈り取り、その刈り取った稈をヤシなどの土に還る生物原料のシートに編み込み、そのシートを人工湿地の土表面に固定、敷設することで、すみやかに稈の節々から発芽が生じ、およそ３ヶ月程度で人工湿地を完成させる人工湿地または群落の造成方法。【選択図】図２
2008253239.tif 000002
【特許請求の範囲】
【請求項１】
搾乳関連排水の浄化または自然環境を再生・修復・創出するために、その地域に自生する郷土種のヨシを地際から刈り取り、その稈を生物原料のシートに編み込んで敷設することにより、数ヶ月間でヨシを定植させて人工湿地または群落を造成する方法。この方法を稈敷設法（かんふせつほう）と呼ぶ。
【発明の詳細な説明】
【技術分野】
【０００１】  本発明は、酪農の搾乳施設からでる汚水（搾乳関連排水）を浄化する、または自然環境の再生・修復・創出を図るために、その地域に自生する郷土種のヨシを用いて容易に人工湿地や群落を造成するものである。
【背景技術】
【０００２】  ヨシを用いて人工湿地や群落をつくる在来の技術は、苗を育てる、もしくは苗を用いて植生をつくる、あるいは乾燥から苗を守ることに関するものである（例えば、特許文献１、特許文献２、特許文献３）。
【特許文献１】公開特許公報  平１１−０１８５６６５
【特許文献２】公開特許公報  平０８−１６３９２３
【特許文献３】公開特許公報  平０７−０９５８１８  特許文献１は、法面をつくるために苗を乾燥から守る方法であり、特許文献２は、茎を水面に浮かべて苗をつくる方法である。また、特許文献３は、種子から苗を効率的につくる方法である。これら従来技術はいずれも苗をつくり、販売することを目的とした技術であると考えられる。
一方、本発明の稈敷設法（かんふせつほう）を用いると、種や苗はつくらずに、短期間にヨシを定植させ群落をつくることができる。寒冷な地域で苗をつくることは難しいため、本発明を従来技術で代替するのは困難である。
【発明の開示】
【発明が解決しようとする課題】
【０００３】  ヨシを用いて人工湿地や群落を造成するために、従来の苗を作成する方法では、コストが高い上に生育期間も長かった。例えば、１平米あたりに苗を１０株植えるとすると、その苗を購入するには１平米分だけで数千円かかるため、広大な群落をつくるには相当の費用が必要であった。その上、苗が完全に生長するまでには一般的に２〜３年の歳月がかかる。このことから、従来技術の苗を用いてヨシ群落をつくる方法は、搾乳関連排水の浄化等にはほとんど利用されていなかった。さらに、ヨシの苗を地域外から調達すると、異なる遺伝子をその地域に持ち込む危険があり、外来種問題が発生して自然環境に影響を与える可能性があることも、従来技術が抱えていた課題である。
【課題を解決するための手段】
【０００４】  課題を解決するための手段を図１〜２に示した。地域に自生している郷土種のヨシを地際から刈り取り、刈り取った稈をヤシなど土に還る生物原料のシートに編み込む（図１）。そのシートを自然素材である竹割箸などで、人工湿地の中の土の表面に固定して浸すことで、すみやかに稈の節々から発芽が生じ、およそ３ヶ月で人工湿地や群落を完成させる（図２）。この方法を稈敷設法（かんふせつほう）と呼ぶ。
【発明の効果】
【０００５】  本発明「稈敷設法（かんふせつほう）によりヨシを定植させて人工湿地や群落を造成する方法」は、育苗を行う必要がないため、大幅なコストダウンとともに、定植作業の簡素化、生育の短期間化が図られる。【０００６】  本発明では、その地域に自生する郷土種のヨシを用いるため、苗を移植する在来技術にありがちであった外来種（移入種）問題が解決する。【０００７】  本発明では、周辺の水路や農地に繁茂しているヨシを利用するため、雑草防除として地域の環境や景観の保全に貢献する。【０００８】  本発明により一般の酪農家などが容易にヨシの人工湿地をつくれるようになるため、汚水の流出を防止し、河川・地下水等の汚染防止に貢献する。
【発明を実施するための最良の形態】
【０００９】  実施例を図３〜５に示した。図３は刈り取ったヨシを生物原料のシートに編み込んでいる過程、図４は編み込んだシートを人工湿地に敷設している過程である。作業が簡易であるため、地域の小学生や老人でも容易に定植ができる。図３〜４は実際に北海道厚岸郡浜中町で、小学生の環境教育として行われた実施例である。また、図５は敷設からおよそ３ヶ月後のヨシの生育状況である。北海道の酪農専業地域のような寒冷な気候でも、本発明により容易に人工湿地や群落を造成することが可能である。
【産業上の利用可能性】
【００１０】  本技術は、搾乳施設から生じる搾乳関連排水の浄化への利用を意識して発明した。
酪農家の多くは、搾乳機械の消毒洗浄水や廃棄乳などを環境に垂れ流している。この搾乳関連排水を浄化することが望まれるが、酪農家が望むような低価格な浄化装置は市場にほとんど存在しない。
また、近年では失われた湿原の再生など、自然環境を再生したり修復、創出することが求められている。
本発明は上記ニーズに応えるものである。小規模な農家でも設置が可能な作業性、低コストを実現できる上、垂れ流し等の環境問題や苗の移植にありがちな外来種（移入種）問題を解消する。教育に利用して環境問題や外来種問題を啓発することもできる。
なお、本特許の発明者や出願者らは、本発明の独占利用や収益性の追求は求めていない。本発明が将来にわたり、広く多くの方に利用してもらえるようにするために、本特許を出願したものである。
【図面の簡単な説明】
【００１１】
【図１】  図１は、刈り取ったヨシを生物原料のシートに編み込む過程を示した図である。
【図２】  図２は、ヨシを編み込んだシートを人工湿地に敷設し、定植・生育したヨシの状況を示した図である。
【図３】  図３は、地元の小学生がヨシの編み込みを実践している状況を示した図である。
【図４】  図４は、ヨシを編み込んだシートを人工湿地内に敷設している状況を示した図である。
【図５】  図５は、シート敷設３ヶ月後の人工湿地における、ヨシの定植・生育状況を示した図である。
【符号の説明】
【００１２】（１）刈り取ったヨシを編み込む生物原料のシート
（２）シートに編み込んだ郷土種のヨシ
（３）搾乳関連排水等を溜めた人工湿地
（４）人工湿地内で定植し、生育したヨシ
【図１】
2008253239.tif 000003
【図２】
2008253239.tif 000004
【図３】
2008253239.tif 000005
【図４】
2008253239.tif 000006
【図５】
2008253239.tif 000007
(57)【要約】      （修正有）【課題】白味噌に、加工した山葵等を混合し攪拌、熟成した惣菜を提供する。【解決手段】山葵の磨り下し、笹掻を特定の白味噌と混合し、更に特定の清酒及びザラメ砂糖を加え、これを攪拌、熟成し容器に詰める。【効果】１笹掻を噛んだ時の風味は、磨り下し山葵とは一味異なる、格別のものである。２山葵と味噌の塩分の殺菌能力により食品衛生上問題はない。従って熱処理も不要で、防腐剤等の食品添加物も一切混入しない極めてシンプルな健康自然食品である。３山葵の収穫期は、春と秋であるが、端境期の夏、冬は本葵を代替することにより通年製造、食することが可能である。【選択図】なし【特許請求の範囲】
【請求項１】
特定の白味噌に加工した山葵等を混合し攪拌、熟成した惣菜。
【発明の詳細な説明】
【発明の詳細な説明】
この発明は、山葵本来の風味を最大限引き出した惣菜で、食欲を著しく増進する。
【技術分野】
【０００１】特定の白味噌に山葵の磨り下ろし、笹掻、特定の清酒、ザラメ砂糖を混合し攪拌、熟成して製品化する。
【背景技術】
【０００２】従来の葵製品は、本葵を原材料とする酒粕及び、のり佃煮に磨り下し葵を混入したもの又は、磨り下し葵を単に正油漬にしたもの等、比較的単純な製法などから葵本来の独特の風味を最大限引き出すことができず、所詮山葵は脇役にすぎなかった。
【発明が解決しようとしている課題】
【０００３】山葵の風味は、揮発性が高く、且つ酵素の劣化も速く賞味期間が短い。
酵素の劣化とは、大根磨し、タケノコ、トウモロコシなどの風味が時間の経過と共に不味くなるのがその例である。
【課題を解決するための手段】
【０００４】山葵の風味を味噌に封じ込め、揮発を防ぎ、酵素の劣化を抑えて賞味期間を延長する。
熱処理を施さないのは、折角閉じ込めた風味を散逸させないことと、香りの源泉である酵素を温存し、組織を壊さず持続することにより風味を損ねないためである。
【発明の効果】
【０００５】当製品を友人・知人に提供したところ、口込みで注文が増大しており、ファンの要望に応えるため、近日中に機械化、企業化を考慮している。
【産業上の利用分解】
【０００６】一般家庭の惣菜としてのほか、食堂、レストラン、外食産業、ホテル、旅館、仕出弁当屋の惣菜としての利用分野は広い。
【図面の簡単な説明】
【図１】山葵の本体
【図２】山葵の磨り下し
【図３】山葵の笹掻
【図４】特定の清酒（大関上撰）
【図５】ザラメ砂糖
【図６】特定の白味噌（津軽３年カネサ味噌）
【図７】製造工程
【図１】
2008253236.tif 000002
【図２】
2008253236.tif 000003
【図３】
2008253236.tif 000004
【図４】
2008253236.tif 000005
【図５】
2008253236.tif 000006
【図６】
2008253236.tif 000007
【図７】
2008253236.tif 000008